(57)【要約】      （修正有）【課題】電子機器を制約することなく、耐久性に優れ、かつデザイン的にも好ましい保護カバーを提供する。【解決手段】第１ケース３に対応する第１カバー部材７と、第２ケース４に対応する第２カバー部材８と、第１カバー部材７および第２カバー部材８を開閉可能に連結するカバー連結部９とを備え、このカバー連結部９が、第１カバー部材７および第２カバー部材８の各外面側を連結する第１連結部１０と、第１カバー部材７および第２カバー部材８の各内面側を連結する第２連結部１１とを有し、第１連結部１０は、外側に向けて突出して形成され、第２連結部１１は、平面に形成されている。従って、第１ケース３に第１カバー部材７を配置した状態で、第２ケース４を第１ケース３に対して開閉させる際に、カバー連結部９によって第２カバー部材８を第１カバー部材７に対して起立横倒させることができる。【選択図】図５
2014104315.tif 000002
【特許請求の範囲】
【請求項１】
互いに重なり合う第１のケースと第２のケースとをケース連結部によって開閉可能に連結した電子機器を覆う保護カバーにおいて、
前記第１のケースの裏面に配置される第１のカバー部材と、前記第２のケースの裏面に配置される第２のカバー部材と、前記第１のカバー部材および前記第２のカバー部材を開閉可能に連結するカバー連結部とを備え、
前記カバー連結部は、前記第１のカバー部材および前記第２のカバー部材の各外面側を連結する第１連結部と、前記第１のカバー部材および前記第２のカバー部材の各内面側を連結する第２連結部とを有し、前記第１連結部は、前記第１のカバー部材と前記第２のカバー部材とを開いて展開した状態で、外側に向けて突出して形成され、前記第２連結部は、前記第１のカバー部材と前記第２のカバー部材とを開いて展開した状態で、その両者の内面に沿って直線的に連続する平面に形成されていることを特徴とする保護カバー。
【請求項２】
請求項１に記載の保護カバーにおいて、前記カバー連結部は、前記第１のカバー部材側に位置する前記第１連結部の一端部が前記電子機器の前記ケース連結部で押されると、前記第２のカバー部材側に位置する前記第１連結部の他端部が押し上げられると共に、前記第２連結部が前記第２のカバー部材を引き寄せることにより、前記第２のカバー部材を起立させることを特徴とする保護カバー。
【請求項３】
請求項１または請求項２に記載の保護カバーにおいて、前記カバー連結部は、前記第１のカバー部材と前記第２のカバー部材とを開いて展開した状態で、前記第１連結部の連結方向の長さが、前記第２連結部の連結方向の長さよりも、弛みをもって長く形成され、かつ前記第２連結部の連結方向の長さが、前記ケース連結部における半円形の外周面とほぼ同じ長さで形成されていることを特徴とする保護カバー。
【請求項４】
請求項１〜請求項３のいずれかに記載の保護カバーにおいて、前記第１連結部は、前記第１のカバー部材と前記第２のカバー部材とを開いて展開した状態で、外側に向けて湾曲状に突出して形成されていることを特徴とする保護カバー。
【請求項５】
請求項１〜請求項４のいずれかに記載の保護カバーにおいて、前記第１のカバー部材および前記第２のカバー部材は、複数の芯材を積層した各本体部と、この各本体部の外面に前記第１のカバー部材から前記第２のカバー部材に亘って連続して配置された外面カバー部と、前記各本体部の内面に前記第１のカバー部材から前記第２のカバー部材に亘って連続して配置された内面カバー部とを有し、
前記第１連結部は、前記第１のカバー部材と前記第２のカバー部材との間に位置する前記外面カバー部によって形成され、
前記第２連結部は、前記第１のカバー部材と前記第２のカバー部材との間に位置する前記内面カバー部によって形成されていることを特徴とする保護カバー。
【請求項６】
請求項１〜請求項５のいずれかに記載の保護カバーにおいて、前記第１のケースの裏面には複数の足部が設けられており、前記第１のカバー部材には前記複数の足部を係脱可能に係止する係止部材が設けられていることを特徴する保護カバー。
【請求項７】
請求項６に記載の保護カバーにおいて、前記係止部材は、前記第１のケースにおける前記複数の足部にそれぞれ係合する複数の係合部と、前記第１のケースの前後に対応する前記複数の係合部を連結する係合連結部とを有し、この係合連結部が前記第１のカバー部材の前記本体部に埋め込まれて前記内面カバー部で覆われ、前記複数の係合部が前記内面カバー部から露出していることを特徴する保護カバー。
【発明の詳細な説明】
【技術分野】
【０００１】
この発明は、電子辞書、電子式小型計算機、携帯型のパーソナルコンピュータなどの折畳式の電子機器に用いられる保護カバーに関する。
【背景技術】
【０００２】
例えば、電子辞書に用いられている保護カバーにおいては、特許文献１に記載されているように、電子辞書の第１ケースの裏面に配置される第１カバー部材と、電子辞書の第２ケースの裏面に配置される第２カバー部材と、電子辞書のケース連結部に対応して設けられ、かつ第１カバー部材と第２カバー部材とを折曲可能に連結するカバー連結部とを備えた構成のものが知られている。
【先行技術文献】
【特許文献】
【０００３】
【特許文献１】特開２００９−１０１０３３号公報
【０００４】
この種の保護カバーは、電子辞書の第１ケースと第２ケースとを開閉する際に、カバー連結部が屈曲するだけであるから、第１ケースと第２ケースとの開閉動作に連動して第１カバー部材と第２カバー部材とを開閉させるために、第１カバー部材の角部に第１ケースの角部を保持する第１コーナ保持部を設け、第２カバー部材の角部に第２ケースの角部を保持する第２コーナ保持部を設けた構成になっている。
【発明の概要】
【発明が解決しようとする課題】
【０００５】
しかしながら、このような保護カバーでは、第１コーナ保持部によって第１ケースの各角部が隠れてしまい、また第２コーナ保持部によって第２ケースの各角部が隠れてしまうため、第１ケースと第２ケースとが各コーナ保持部によって制約を受けるという問題があるほか、各コーナ保持部が塩化ビニルなどの合成樹脂製の紐状に形成されていると、各コーナ保持部の強度が不足し、各コーナ保持部が破損しやすいため、耐久性が悪いばかりか、外観的にもデザイン的にも好ましくないなどの問題がある。
【０００６】
この発明が解決しようとする課題は、電子機器を制約することなく、耐久性に優れ、かつデザイン的にも好ましい保護カバーを提供することである。
【課題を解決するための手段】
【０００７】
この発明は、互いに重なり合う第１のケースと第２のケースとをケース連結部によって開閉可能に連結した電子機器を覆う保護カバーにおいて、前記第１のケースの裏面に配置される第１のカバー部材と、前記第２のケースの裏面に配置される第２のカバー部材と、前記第１のカバー部材および前記第２のカバー部材を開閉可能に連結するカバー連結部とを備え、前記カバー連結部は、前記第１のカバー部材および前記第２のカバー部材の各外面側を連結する第１連結部と、前記第１のカバー部材および前記第２のカバー部材の各内面側を連結する第２連結部とを有し、前記第１連結部は、前記第１のカバー部材と前記第２のカバー部材とを開いて展開した状態で、外側に向けて突出して形成され、前記第２連結部は、前記第１のカバー部材と前記第２のカバー部材とを開いて展開した状態で、その両者の内面に沿って直線的に連続する平面に形成されていることを特徴とする保護カバーである。
【発明の効果】
【０００８】
この発明によれば、電子機器の第１のケースの裏面に第１のカバー部材を配置した状態で、第２のケースを第１ケースに対して開閉させる際に、カバー連結部によって第２のカバー部材を第１のカバー部材に対して起立横倒させることができる。このため、コーナ保持部を用いずに第２のカバー部材を第１のカバー部材に対して開閉動作させることができるので、電子機器が制約を受けず、耐久性に優れ、かつ外観的にもデザイン的にも好ましいものを提供することができる。
【図面の簡単な説明】
【０００９】
【図１】この発明に係わる保護カバーを電子辞書に適用した一実施形態を示した拡大側面図である。
【図２】図１に示された保護カバーを展開した状態を示した拡大平面図である。
【図３】図１に示された電子辞書における第１ケースの裏面を示した拡大裏面図である。
【図４】図２に示された保護カバーのＡ―Ａ矢視における一部欠損した状態を示した拡大断面図である。
【図５】図４に示された保護カバーが起立する原理を示し、（ａ）は第１カバー部材に第１ケースを取り付けてケース連結部を押し下げる状態を示した拡大側面図、（ｂ）はケース連結部によってカバー連結部が押し下げられて第２カバー部材が起立した状態を示した拡大側面図である。
【図６】図２に示された足係止部材を示した拡大斜視図である。
【図７】図１に示された電子辞書を開いて使用する状態を示した拡大側面図である。
【発明を実施するための形態】
【００１０】
以下、図１〜図７を参照して、この発明の保護カバーを電子辞書に適用した一実施形態について説明する。
この保護カバー１は、図１に示すように、折畳式の電子辞書２を覆って保護するように構成されている。この電子辞書２は、互いに重なり合う第１ケース３と第２ケース４とをケース連結部５によって開閉可能に連結した構成になっている。
【００１１】
この場合、第１ケース３の下面には、図１および図３に示すように、複数の足部６がそれぞれ突出して設けられている。これら複数の足部６は、それぞれゴム足であり、第１ケース３の下面における前後（図３では左右）に設けられている。また、この第１ケース３と第２ケース４とが互いに対面する各内面のうち、第１ケース３の内面には、図示しないが、キー入力部が設けられており、第２ケース４の内面には、表示部が設けられている。
【００１２】
キー入力部は、図示ないが、文字キー、テンキー、カーソルキー、決定キーなどの辞書機能に必要な各種のキーを備えている。表示部は、液晶表示パネルやＥＬ（エレクトロルミネッセンス）表示パネルなどの平面型の表示パネルからなり、キー入力部で入力された情報に基づいて、その入力情報および辞書に必要な各種の情報を電気光学的に表示するように構成されている。
【００１３】
一方、保護カバー１は、図１に示すように、第１ケース３の裏面（図１では下面）に配置される第１カバー部材７と、第２ケース４の裏面（図１では上面）に配置される第２カバー部材８と、ケース連結部５に対応して配置され、かつ第１カバー部材７および第２カバー部材８を開閉可能に連結するカバー連結部９とを備えている。
【００１４】
カバー連結部９は、図４に示すように、第１カバー部材７および第２カバー部材８の各外面側を弛んだ状態で連結する第１連結部１０と、第１カバー部材７および第２カバー部材８の各内面側を引っ張り状態で連結する第２連結部１１とを有している。このカバー連結部９は、第２ケース４を第１ケース３に対して開閉させる際に、第１連結部１０および第２連結部１１によって、第２カバー部材８を第１カバー部材７に対して起立横倒させるように構成されている。
【００１５】
この場合、第１カバー部材７と第２カバー部材８とは、図４に示すように、それぞれ本体部１２と、これら各本体部１２の各外面に第１カバー部材７から第２カバー部材８に亘って連続して積層された外面カバー部１３と、各本体部１２の各内面に第１カバー部材７から第２カバー部材８に亘って連続して積層された内面カバー部１４とを有している。
【００１６】
第１カバー部材７および第２カバー部材８の各本体部１２は、図４に示すように、紙芯などの複数（この実施形態では３枚）の芯材１２ａを積層した構成になっている。外面カバー部１３は、合成皮革または天然皮革からなり、各本体部１２の外面（図４では下面）にそれぞれスポンジ層１５を介して積層されている。内面カバー部１４は、布または紙芯などの下地層と、この下地層上に積層されたポリエステルなどの樹脂シートとからなり、各本体部１２の内面（図４では上面）にそれぞれ積層されている。
【００１７】
そして、この保護カバー１は、図４に示すように、複数の芯材１２ａを積層した各本体部１２の外面に外面カバー部１３を第１カバー部材７から第２カバー部材８に亘って連続させて配置し、かつ各本体部１２の内面に内面カバー部１４を第１カバー部材７から第２カバー部材８に亘って連続させて配置し、この状態で第１連結部１０と第２連結部１１との個所を除いて、これらの全周囲が縫製されている。
【００１８】
ところで、第１連結部１０は、図４に示すように、第１カバー部材７と第２カバー部材８との間に位置する外面カバー部１３によって形成されている。また、第２連結部１１は、第１カバー部材７と第２カバー部材８との間に位置する内面カバー部１４によって形成されている。これにより、第１連結部１０と第２連結部１１とは、第１カバー部材７および第２カバー部材８の各本体部１２とスポンジ層１５との各厚みだけ離れた状態で設けられている。
【００１９】
この場合、カバー連結部９は、図４に示すように、第１カバー部材７と第２カバー部材８とを開いて展開した状態で、第１連結部１０の連結方向（図４では左右方向）の長さ第２連結部１１の連結方向における長さよりも、弛みをもって長く形成されている。また、第２連結部１１は、その連結方向の長さがケース連結部５における半円形の外周面とほぼ同じ長さで形成されている。これにより、カバー連結部９は、図５（ａ）および図５（ｂ）に示すように、第２連結部１１がケース連結部５で押されて外側に向けて屈曲すると、第１連結部１０内に挿入するように構成されている。
【００２０】
すなわち、第１連結部１０は、図４に示すように、第１カバー部材７と第２カバー部材８とを開いて展開した状態で、外側（図４では下側）に向けて湾曲状に弛みをもって形成されている。また、第２連結部１１は、第１カバー部材７と第２カバー部材８とを開いて展開した状態で、その両者の内面（図４では上面）に沿って直線的に連続する平面に形成されている。
【００２１】
これにより、カバー連結部９は、図５（ａ）に示すように、第１カバー部材７と第２カバー部材８とを開いて展開した状態で、第１ケース３が第１カバー部材７に配置されてケース連結部５によって第１連結部１０における第１カバー部材７側の一端部１０ａが押し下げられると、図５（ｂ）および図７に示すように、第１連結部１０における第２カバー部材８側の他端部１０ｂが押し上げられるように構成されている。
【００２２】
また、このカバー連結部９は、図５（ａ）に示すように、ケース連結部５によって第１連結部１０における第１カバー部材７側の一端部１０ａが押し下げられる際に、図５（ｂ）および図７に示すように、ケース連結部５によって第２連結部１１が第１連結部１０に向けて押されることにより、この押された第２連結部１１によって第１連結部１０の他端部１０ｂをケース連結部５側に向けて引き寄せ、第２カバー部材８を第１カバー部材７に対して起立させるように構成されている。
【００２３】
この場合、カバー連結部９は、図７に示すように、第２連結部１１が第１連結部１０内に押し込まれて、第１連結部１０の他端部１０ｂをケース連結部５側に向けて引き寄せていることにより、第１ケース３に対して第２ケース４を開いて後方に少し傾けた状態で起立させた際に、第２ケース４を第２カバー部材８によって保持して、第２ケース４が後方に倒れないように構成されている。
【００２４】
また、このカバー連結部９は、図７に示すように、電子辞書２の第２ケース４が開いて起立している状態で、第２カバー部材８が閉じる方向に向けて軽く押されると、第２連結部１１が電子辞書２のケース連結部５の外面に沿って湾曲しながら第１連結部１０の湾曲内に挿入することにより、第２カバー部材８が自重で閉じる方向に回転して第２ケース４の外面に重なるように構成されている。
【００２５】
一方、第１カバー部材７には、図２、図３および図６に示すように、第１ケース３の複数の足部６を係脱可能に係止する足係止部材１６が設けられている。この足係止部材１６は、第１ケース３における複数の足部６にそれぞれ係合する複数の係合部１７と、第１ケース３の前後（図２では左右方向）に位置する各係合部１７を連結する係合連結部１８とを有している。
【００２６】
この場合、複数の係合部１７は、図２および図６に示すように、カバー連結部９側に位置する足部６に嵌着する第１係合部１７ａと、カバー連結部９と反対側に位置する足部６を係止する第２係合部１７ｂとを有している。また、係合連結部１８は、エラストマなどの軟質の合成樹脂からなり、複数の係合部１７を内面カバー部１４から外部に露出させた状態で、第１カバー部材７の本体部１２に埋め込まれて内面カバー部１４で覆われるように構成されている。
【００２７】
すなわち、係合連結部１８は、図６に示すように、帯状に形成されたシートであり、その厚みが本体部１２の１枚の紙芯１２ａとほぼ同じ厚みか、それよりも少し薄く形成されている。これにより、係合連結部１８は、図４に示すように、本体部１２の複数の紙芯１２ａのうち、最上部の紙芯１２ａに形成された装着凹部１２ｂ内に配置され、この状態で内面カバー部１４によって覆われて外部から見えないように構成されている。
【００２８】
これにより、足係止部材１６は、図１および図２に示すように、第１カバー部材７の内面カバー部１４上に第１ケース３を配置する際に、カバー連結部９側に位置する足部６を係合部１７の第１係合部１７ａに嵌着させ、この状態でカバー連結部９と反対側に位置する足部６を係合部１７の第２係合部１７ｂによって係止することにより、第１カバー部材７の内面カバー部１４上に第１ケース３を取り付けるように構成されている。
【００２９】
次に、このような保護カバー１の作用について説明する。
まず、保護カバー１を電子辞書２に取り付ける。このときには、第１カバー部材７の内面カバー部１４上に電子辞書２の第１ケース３を配置して、この第１ケース３における複数の足部６を複数の足係止部材１６にそれぞれ係止させる。
【００３０】
すなわち、第１カバー部材７の内面カバー部１４上に第１ケース３を配置する際には、カバー連結部９側に位置する足部６を足係止部材１６における係合部１７の第１係合部１７ａに嵌着させ、この状態でカバー連結部９と反対側に位置する足部６を係合部１７の第２係合部１７ｂに係止させる。これにより、第１ケース３が第１カバー部材７の内面カバー部１４上に取り付けられる。このときには、カバー連結部９が電子辞書２のケース連結部５に対応すると共に、第２ケース４が第２カバー部材８で覆われる状態になる。
【００３１】
この状態で、第１ケース３に対して第２ケース４を開閉させると、カバー連結部９によって第２カバー部材８が第１カバー部材７に対して起立横倒する。すなわち、第１カバー部材７と第２カバー部材８とを開いて展開させた際には、第１カバー部材７上に第１ケース３が取り付けられていることにより、例えば図５（ａ）に示すように、ケース連結部５がカバー連結部９の第１連結部１０における第１カバー部材７側の一端部１０ａの上方に位置する。
【００３２】
このため、この状態で、電子辞書２のケース連結部５を押し下げると、図５（ｂ）および図７に示すように、第１連結部１０における第２カバー部材８側の他端部１０ｂが押し上げられて第２カバー部材８を引き上げる。また、このときには、第２連結部１１がケース連結部５の外周面によって第１連結部１０内に向けて押し込まれるので、この第２連結部１１が第１連結部１０の他端部１０ｂをケース連結部５側に向けて引き寄せる。これにより、第２カバー部材８が第１カバー部材７に対して起立する。
【００３３】
この状態では、図７に示すように、第２ケース４を第１ケース３に対して少し後方に傾けた状態で起立させて使用する際に、第１連結部１０の端部１０ｂが第２連結部１１によってケース連結部５側に向けて引き寄せられているので、第２カバー部材８によって第２ケース４が後方に倒れないように保持することができる。このため、第１ケース３と第２ケース４とを開いた状態で良好に使用することができる。
【００３４】
また、第２ケース４が第１ケース３に対して少し後方に傾いて起立している状態で、第２ケース４を折り畳む際には、第２カバー部材８の外面を第２ケース４側に向けて軽く押すだけで、第２ケース４を第１ケース３に重ね合わせることができると共に、第２カバー部材８を第１カバー部材７に向けて横倒させることにより、第２カバー部材８が第２ケース４の外面に配置されて折り畳まれる。
【００３５】
すなわち、このときには、カバー連結部９の第２連結部１１が電子辞書２のケース連結部５の外面に沿って湾曲すると共に、第１連結部１０の湾曲内に挿入することにより、このカバー連結部９によって第２カバー部材８が自重で閉じる方向に回転して第２ケース４の外面に重なる。これにより、第１ケース３と第２ケース４とが重なり合った状態で、電子辞書２が折り畳まれると共に、保護カバー１によって電子辞書２が覆れる。このため、電子辞書２を保護カバー１で保護しながら良好に携帯することができる。
【００３６】
このように、この保護カバー１によれば、第１ケース３の裏面に配置される第１カバー部材７と、第２ケース４の裏面に配置される第２カバー部材８と、第１カバー部材７および第２カバー部材８を開閉可能に連結するカバー連結部９とを備え、このカバー連結部９が、第１カバー部材７および第２カバー部材８の各外面側を連結する第１連結部１０と、第１カバー部材７および第２カバー部材８の各内面側を連結する第２連結部１１とを有し、第１連結部１０が、第１カバー部材７と第２カバー部材８とを開いて展開した状態で、外側に向けて突出して形成され、第２連結部１１が、第１カバー部材７と第２カバー部材８とを開いて展開した状態で、その両者の内面に沿って直線的に連続する平面に形成されているので、電子辞書２を制約することなく、耐久性に優れ、かつ外観的にもデザイン的にも好ましいものを提供することができる。
【００３７】
すなわち、この保護カバー１では、電子辞書２の第１ケース３の裏面に第１カバー部材７を配置した状態で、第２ケース４を第１ケース３に対して開閉させる際に、カバー連結部９によって第２カバー部材８を第１カバー部材７に対して起立横倒させることができる。このため、先行文献に記載されているようなコーナ保持部を用いずに、第２カバー部材８を第１カバー部材７に対して開閉動作させることができるので、電子辞書２が制約を受けず、耐久性に優れ、かつ外観的にもデザイン的にも好ましいものを提供することができる。
【００３８】
この場合、カバー連結部９は、第１カバー部材７側に位置する第１連結部１０の一端部１０ａがケース連結部５で押されると、第２カバー部材８側に位置する第１連結部１０の他端部１０ｂが押し上げられると共に、第２連結部１１が第２カバー部材８を引き寄せることにより、第２カバー部材８を起立させるので、コーナ保持部を用いずに、第２カバー部材８を確実にかつ良好に起立させることができ、これにより第１ケース３に対して第２ケース４を開いて起立させた際に、その起立した第２ケース４を後方に倒れないように第２カバー部材８で確実に保持することができる。
【００３９】
すなわち、このカバー連結部９は、第１カバー部材７と第２カバー部材８とを開いて展開した状態で、第１連結部１０の連結方向の長さが、第２連結部１１の連結方向の長さよりも、弛みをもって長く形成されているので、第２カバー部材８を第１カバー部材７に対して起立させる際に、第１連結部１０をその弛みによって押し上げる方向に変位させることができ、これにより第２カバー部材８を第１カバー部材７に対して確実にかつ良好に起立させることができる。
【００４０】
また、第２連結部１１は、その連結方向の長さがケース連結部５における半円形の外周面とほぼ同じ長さで形成されていることにより、第１カバー部材７および第２カバー部材８の各内面側を引っ張り状態で連結することができると共に、第２連結部１１がケース連結部５の外周面によって第１連結部１０側に向けて押されて、弛みを有する第１連結部１０内に挿入することにより、この挿入する第２連結部１１によって第２カバー部材８を確実に良好に引き寄せることができ、これによっても第２カバー部材８を第１カバー部材７に対して確実にかつ良好に起立させることができる。
【００４１】
この場合、第１連結部１０は、第１カバー部材７と第２カバー部材８とを開いて展開した状態で、外側に向けて湾曲状に突出して形成され、第２連結部１１は、第１カバー部材７と第２カバー部材８とを開いて展開した状態で、その両者の内面に沿って直線的に連続する平面に形成されていることにより、第２カバー部材８を第１カバー部材７に対して起立させる際に、第１連結部１０の他端部１０ｂ側を押し上げる方向に確実に変位させることができると共に、ケース連結部５の外周面によって押された第２連結部１１を第１連結部１０内に挿入させることができ、この挿入する第２連結部１１によって第２カバー部材８を確実に良好に引き寄せることができる。
【００４２】
また、第１カバー部材７および第２カバー部材８は、複数の芯材１２ａを積層した各本体部１２と、この各本体部１２の外面に第１カバー部材７から第２カバー部材８に亘って連続して配置された外面カバー部１３と、各本体部１２の内面に第１カバー部材７から第２カバー部材８に亘って連続して配置された内面カバー部１４とを有し、第１連結部１０が、第１カバー部材７と第２カバー部材８との間に位置する外面カバー部１３によって形成され、第２連結部１１が、第１カバー部材７と第２カバー部材８との間に位置する内面カバー部１４によって形成されていることより、保護カバー１を縫製によって簡単に製作することができる。
【００４３】
すなわち、この保護カバー１は、複数の芯材１２ａを積層した各本体部１２の外面に外面カバー部１３を第１カバー部材７から第２カバー部材８に亘って連続させて配置し、かつ各本体部１２の内面に内面カバー部１４を第１カバー部材７から第２カバー部材８に亘って連続させて配置し、この状態で第１連結部１０と第２連結部１１とを除いて、周囲を縫製することにより、容易にかつ良好に製作することができる。
【００４４】
この場合、外面カバー部１３は、合成皮革または天然皮革によって形成されているので、手触り感が良い。また、本体部１２と外面カバー部１３との間には、スポンジ層１５が設けられていることにより、電子辞書２を保護カバー１で覆った状態で携帯する際に、外部から衝撃を受けてもスポンジ層１５に衝撃を吸収することができるので、電子辞書２を確実にかつ良好に保護することができる。
【００４５】
また、この保護カバー１では、第１カバー部材７が第１ケース３の裏面に設けられた複数の足部６を係脱可能に係止する足係止部材１６を備えていることにより、第１カバー部材７上に第１ケース３を配置する際に、第１ケース３の複数の足部６を第１カバー部材７の足係止部材１６に係止させるだけで、簡単にかつ確実に第１ケース３を第１カバー部材７に取り付けることができる。
【００４６】
足係止部材１６は、第１ケース３における複数の足部６にそれぞれ係合する複数の係合部１７と、第１ケース３の前後に対応する複数の係合部１７を連結する係合連結部１８とを有しているので、第１カバー部材７に対する複数の係合部１７の取付強度を係合連結部１８によって高めることができ、これにより第１ケース３における複数の足部６に対する複数の係合部１７の取付強度を確保することができる。
【００４７】
また、この足係止部材１６は、係合連結部１８が第１カバー部材７の本体部１２に埋め込まれて内面カバー部１４で覆われ、複数の係合部１７が内面カバー部１４から露出していることにより、第１カバー部材７に対する係合連結部１８の取付強度を、より一層、高めることができると共に、係合連結部１８が内面カバー部１４で覆われて外部から見ないように隠すことができるので、外観的にもデザイン的にも好ましいものを得ることができる。
【００４８】
なお、上述した実施形態では、電子辞書２に適用した場合について述べたが、必ずしも電子辞書２である必要はなく、例えば電子式小型計算機、携帯型のパーソナルコンピュータなどの折畳式の電子機器に広く適用することができる。
【００４９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５０】
（付記）
請求項１に記載の発明は、互いに重なり合う第１のケースと第２のケースとをケース連結部によって開閉可能に連結した電子機器を覆う保護カバーにおいて、前記第１のケースの裏面に配置される第１のカバー部材と、前記第２のケースの裏面に配置される第２のカバー部材と、前記第１のカバー部材および前記第２のカバー部材を開閉可能に連結するカバー連結部とを備え、前記カバー連結部は、前記第１のカバー部材および前記第２のカバー部材の各外面側を連結する第１連結部と、前記第１のカバー部材および前記第２のカバー部材の各内面側を連結する第２連結部とを有し、前記第１連結部は、前記第１のカバー部材と前記第２のカバー部材とを開いて展開した状態で、外側に向けて突出して形成され、前記第２連結部は、前記第１のカバー部材と前記第２のカバー部材とを開いて展開した状態で、その両者の内面に沿って直線的に連続する平面に形成されていることを特徴とする保護カバーである。
【００５１】
請求項２に記載の発明は、請求項１に記載の保護カバーにおいて、前記カバー連結部は、前記第１のカバー部材側に位置する前記第１連結部の一端部が前記電子機器の前記ケース連結部で押されると、前記第２のカバー部材側に位置する前記第１連結部の他端部が押し上げられると共に、前記第２連結部が前記第２のカバー部材を引き寄せることにより、前記第２のカバー部材を起立させることを特徴とする保護カバーである。
【００５２】
請求項３に記載の発明は、請求項１または請求項２に記載の保護カバーにおいて、前記カバー連結部は、前記第１のカバー部材と前記第２のカバー部材とを開いて展開した状態で、前記第１連結部の連結方向の長さが、前記第２連結部の連結方向の長さよりも、弛みをもって長く形成され、かつ前記第２連結部の連結方向の長さが、前記ケース連結部における半円形の外周面とほぼ同じ長さで形成されていることを特徴とする保護カバーである。
【００５３】
請求項４に記載の発明は、請求項１〜請求項３のいずれかに記載の保護カバーにおいて、前記第１連結部は、前記第１のカバー部材と前記第２のカバー部材とを開いて展開した状態で、外側に向けて湾曲状に突出して形成されていることを特徴とする保護カバーである。
【００５４】
請求項５に記載の発明は、請求項１〜請求項４のいずれかに記載の保護カバーにおいて、前記第１のカバー部材および前記第２のカバー部材は、複数の芯材を積層した各本体部と、この各本体部の外面に前記第１のカバー部材から前記第２のカバー部材に亘って連続して配置された外面カバー部と、前記各本体部の内面に前記第１のカバー部材から前記第２のカバー部材に亘って連続して配置された内面カバー部とを有し、前記第１連結部は、前記第１のカバー部材と前記第２のカバー部材との間に位置する前記外面カバー部によって形成され、前記第２連結部は、前記第１のカバー部材と前記第２のカバー部材との間に位置する前記内面カバー部によって形成されていることを特徴とする保護カバーである。
【００５５】
請求項６に記載の発明は、請求項１〜請求項５のいずれかに記載の保護カバーにおいて、前記第１のケースの裏面には複数の足部が設けられており、前記第１のカバー部材には前記複数の足部を係脱可能に係止する係止部材が設けられていることを特徴する保護カバーである。
【００５６】
請求項７に記載の発明は、請求項６に記載の保護カバーにおいて、前記係止部材は、前記第１のケースにおける前記複数の足部にそれぞれ係合する複数の係合部と、前記第１のケースの前後に対応する前記複数の係合部を連結する係合連結部とを有し、この係合連結部が前記第１のカバー部材の前記本体部に埋め込まれて前記内面カバー部で覆われ、前記複数の係合部が前記内面カバー部から露出していることを特徴する保護カバーである。
【符号の説明】
【００５７】
１  保護カバー
２  電子辞書
３  第１ケース
４  第２ケース
５  ケース連結部
６  足部
７  第１カバー部材
８  第２カバー部材
９  カバー連結部
１０  第１連結部
１１  第２連結部
１２  本体部
１２ａ  芯材
１３  外面カバー部
１４  内面カバー部
１６  足係止部材
１７  係合部
１８  係合連結部
【図１】
2014104315.tif 000003
【図２】
2014104315.tif 000004
【図３】
2014104315.tif 000005
【図４】
2014104315.tif 000006
【図５】
2014104315.tif 000007
【図６】
2014104315.tif 000008
【図７】
2014104315.tif 000009